(57)【特許請求の範囲】
【請求項１】
揺動管がホッパー内に設置される揺動管式のピストンポンプに用いられ、前記揺動管の先端部に設けられて自身中央に開口部およびその両側にシール部を有するウェアプレートと、そのウェアプレートが圧接されつつ摺動されるとともに前記ウェアプレートの開口部の幅以上左右に離間する一対の吸込吐出口を有するめがね板と、前記ホッパー下部に配設されて前記ウェアプレートを案内するガイド板と、前記ガイド板と前記ウェアプレートとの間の隙間を調整するためのガイド板固定機構と、を備えるピストンポンプの逆流防止装置であって、
前記ガイド板固定機構は、前記ガイド板を固定する固定壁と、その固定壁および前記ガイド板の間に挿入される調整シムとを有し、前記固定壁は、前記ホッパー下部の左右方向に延設されており、前記調整シムは、前記ウェアプレートが摺動される方向での両側に対向して一対配置されるとともに、各調整シムが、前記左右方向に延設される固定壁の壁面に案内されつつ挿入されるように構成され、
前記ガイド板固定機構は、前記ホッパーの左右方向両側面に、前記一対の調整シムを前記固定壁と前記ガイド板との間に挿入するための挿入口をそれぞれ有することを特徴とするピストンポンプの逆流防止装置。
【請求項２】
前記ガイド板固定機構は、前記ホッパー外部から前記固定壁を貫通して前記ガイド板を固定可能なガイド板固定ボルトを設けてなり、前記一対の調整シムは、固定壁の壁面に案内されつつ挿入される方向に沿って挿入側に開口する長溝を有し、当該長溝に前記ガイド板固定ボルトが嵌るようになっていることを特徴とする請求項１記載のピストンポンプの逆流防止装置。
【発明の詳細な説明】
【０００１】
【発明の属する技術分野】
本発明は、建築、土木工事における流動性の乏しい低スランプのコンクリートや土砂の圧送、あるいは、下水処理場やし尿処理場等で発生する低含水率の脱水汚泥の圧送等に用いられる揺動管方式のピストンポンプに関するものである。
【０００２】
【従来の技術】
一般に、揺動管方式のピストンポンプは、図３及び図４に示すように、ホッパー１の背壁１Ｂの下部に左右一対の吸込吐出口１Ｌ、１Ｒを設け、ホッパー１の背部には、吸込吐出口１Ｌ、１Ｒにそれぞれ一端が開口したポンプシリンダ４Ｌ、４Ｒを取付けている。ポンプシリンダ４Ｌ、４Ｒ内には、それぞれ搬送ピストン７を備えており、この搬送ピストン７は、駆動シリンダ６Ｌ、６Ｒによって交互に往復動されるようになっている。ポンプシリンダ４Ｌ、４Ｒと駆動シリンダ６Ｌ、６Ｒとの接合部には水封箱５が設けられている。
【０００３】
ホッパー１内には、揺動管２が設置されている。この揺動管２は、基端部２Ｂがホッパー１の前壁１Ｆに回動可能に支持されており、揺動管２の中間部には、ホッパー１の背壁１Ｂに回動可能に支持された揺動管軸１０の一端が固定されている。揺動管軸１０の回転中心と揺動管２の基端部２Ｂの回転中心とは同一線上にある。ホッパー１の背壁１Ｂ外に延出した揺動管軸１０の他端には、切換レバー１１が固着され、この切換レバー１１とホッパー１との間に切換シリンダ３Ｌ、３Ｒが取付けられていて、切換シリンダ３Ｌ、３Ｒの一方が伸長するとき他方が縮小するようになっている。
【０００４】
切換シリンダ３Ｌ、３Ｒが伸縮すると、揺動管軸１０が回動して、揺動管２は左右に揺動され、揺動管２の先端部２Ｔが交互に左右の吸込吐出口１Ｌ、１Ｒに臨む位置へ移動する。
ホッパー１の吸込吐出口１Ｌ、１Ｒの周囲の揺動管２の先端部２Ｔが摺接する部分には、吸込吐出口１Ｌ、１Ｒを形成する左右一対の開口を備えた交換可能なめがね板８が取付けられている。また、揺動管２の先端部２Ｔは、めがね板８に圧接されて摺動するので、交換可能なウェアプレート１２が取付けられている。このめがね板８とウェアプレート１２とには、耐摩耗材が使用される。
【０００５】
揺動管２の基端部２Ｂには、輸送管（図示略）が接続される。土砂等の輸送対象物を輸送するときには、ホッパー１内に輸送対象物が投入される。そこで、一方（例えば右側）の搬送ピストン７を後退させてポンプシリンダ４Ｒ内に輸送対象物を吸込んだ後、揺動管２を揺動させて先端部２Ｔをそのポンプシリンダ４Ｒ側の吸込吐出口１Ｒに臨ませ、搬送ピストン７を前進させてポンプシリンダ４Ｒ内の輸送対象物を揺動管２から輸送管へ吐出する。一方のポンプシリンダ４Ｒが吐出行程にあるとき、他方のポンプシリンダ４Ｌでは搬送ピストン７を後退させてポンプシリンダ４内に輸送対象物を吸込む。
【０００６】
次に、揺動管２を揺動させて先端部２Ｔを他方のポンプシリンダ４Ｌ側の吸込吐出口１Ｌに臨ませ、搬送ピストン７を前進させてポンプシリンダ４Ｌ内の輸送対象物を揺動管２から吐出する。この吸込行程と吐出行程とを左右交互に行うことにより継続的に輸送対象物を輸送する。
上記の揺動管方式のピストンポンプでは揺動管２を揺動させて先端部２Ｔを左側の吸込吐出口１Ｌから右側の吸込吐出口１Ｒへ、または、右側の吸込吐出口１Ｒから左側の吸込吐出口１Ｌへ切換える途中で左右の吸込吐出口１Ｌ、１Ｒが揺動管２を介して連通する状態が生じる。このとき、輸送対象物の一部が、高圧な吐出側のポンプシリンダから低圧のポンプシリンダへ瞬間的に逆流するため、ピストンポンプは容積効率が低下し、振動や衝撃が発生するおそれがある。また、このような逆流が生じるピストンポンプは並列運転ができない。
【０００７】
この問題を解決するために、図５、図６に示すように、めがね板８の左右の吸込吐出口１Ｌ、１Ｒの間隔をウェアプレート１２の開口部１３の幅以上とし、ウェアプレート１２の開口部１３の両端にめがね板８の吸込吐出口１Ｌ、１Ｒの幅以上のシール部１４を設けたピストンポンプの逆流防止装置が提案されている（特願２００１−００７００３参照）。
【０００８】
このピストンポンプの逆流防止装置によれば、揺動管２を揺動させて先端部２Ｔを左側の吸込吐出口１Ｌから右側の吸込吐出口１Ｒへ、または、右側の吸込吐出口１Ｒから左側の吸込吐出口１Ｌへ、即ちウェアプレート１２を図６（ａ）の位置から図６（ｃ）の位置へ、または、図６（ｃ）の位置から図６（ａ）の位置へ、切換える途中、図６（ｂ）の位置に達しても左右の吸込吐出口１Ｌ、１Ｒが連通する状態が生じることはなく、逆流を防止することができる。
【０００９】
【発明が解決しようとする課題】
ところが、従来の揺動管方式のピストンポンプの逆流防止装置では、揺動管２の切換移動時にウェアプレート１２を摺動自在に案内保持するためのガイド板１７が、ホッパー１の内部から背壁１Ｂを貫通する複数のボルト１８で固定されていたため、ガイド板１７とウェアプレート１２の隙間調整を行う場合には、ホッパー１の内部を空の状態にしてホッパー１の内部からガイド板１７とウェアプレート１２の隙間を確認して、隙間の調整を行う必要があり面倒な作業となっていた。
【００１０】
また、この固定方法では、複数のボルト１８を均等に締め付けて隙間を調整しなければならないが、複数のボルト１８を均等に締め付けるのは困難な作業であった。
本発明は、揺動管方式のピストンポンプの逆流防止装置における上記問題を解決するものであって、ガイド板をホッパーに確実に固定すると共に、ガイド板とウェアプレートの隙間調整を的確且つ容易に行うことのできるピストンポンプの逆流防止装置のガイド板固定機構を提供することを目的とする。
【００１１】
【課題を解決するための手段】
本発明では、揺動管方式のピストンポンプのめがね板の左右の吸込吐出口の間隔をウェアプレートの開口部の幅以上とし、ウェアプレートの開口部の両側にめがね板の吸込吐出口の幅以上のシール部を設けたピストンポンプの逆流防止装置において、ホッパー下部にウェアプレート案内用のガイド板を固定する固定壁を設け、固定壁とガイド板との間に調整シムを挿入するように構成することにより上記課題を解決している。
【００１２】
このピストンポンプの逆流防止装置のガイド板固定機構は、ガイド板とウェアプレートの隙間の調整を行う場合に、ホッパーの内部を空の状態にして行う必要はなく、ガイド板とウェアプレートの隙間調整を容易に行うことができる。
ホッパーの側面に、固定壁とガイド板との間に調整シムを挿入するための挿入口を設けると、ホッパーの側面から調整シムを挿入することができるので、隙間の調整がより容易となる。
【００１３】
ホッパー外部から固定壁を貫通してガイド板を固定可能なガイド板固定ボルトを設けると、ガイド板の固定をホッパー外部から簡単に行うことができる。
【００１４】
【発明の実施の形態】
図１は本発明の実施の一形態を示すピストンポンプの逆流防止装置のガイド板固定機構の構成図、図２はガイド板固定機構の要部背面図である。
ここで、ピストンポンプの基本的構成は、図３及び図４に示す従来のものと同様であって、ホッパー１の背壁１Ｂの下部に左右一対の吸込吐出口１Ｌ、１Ｒを設け、ホッパー１の背部には、吸込吐出口１Ｌ、１Ｒにそれぞれ一端が開口したポンプシリンダ４Ｌ、４Ｒを取付けている。ポンプシリンダ４Ｌ、４Ｒ内には、それぞれ搬送ピストン７を備えており、この搬送ピストン７は、駆動シリンダ６Ｌ、６Ｒによって交互に往復動されるようになっている。ポンプシリンダ４Ｌ、４Ｒと駆動シリンダ６Ｌ、６Ｒとの接合部には水封箱５が設けられている。
【００１５】
ホッパー１内には、揺動管２が設置されている。この揺動管２は、基端部２Ｂがホッパー１の前壁１Ｆに回動可能に支持されており、揺動管２の中間部には、ホッパー１の背壁１Ｂに回動可能に支持された揺動管軸１０の一端が固定されている。揺動管軸１０の回転中心と揺動管２の基端部２Ｂの回転中心とは同一線上にある。ホッパー１の背壁１Ｂ外に延出した揺動管軸１０の他端には、切換レバー１１が固着され、この切換レバー１１とホッパー１との間に切換シリンダ３Ｌ、３Ｒが取付けられていて、切換シリンダ３Ｌ、３Ｒの一方が伸長するとき他方が縮小するようになっている。
【００１６】
切換シリンダ３Ｌ、３Ｒが伸縮すると、揺動管軸１０が回動して、揺動管２は左右に揺動され、揺動管２の先端部２Ｔが交互に左右の吸込吐出口１Ｌ、１Ｒに臨む位置へ移動する。
ホッパー１の吸込吐出口１Ｌ、１Ｒの周囲の揺動管２の先端部２Ｔが摺接する部分には、吸込吐出口１Ｌ、１Ｒを形成する左右一対の開口を備えた交換可能なめがね板８が取付けられている。また、揺動管２の先端部２Ｔは、めがね板８に圧接されて摺動するので、交換可能なウェアプレート１２が取付けられている。このめがね板８とウェアプレート１２とには、耐摩耗材が使用される。揺動管２の基端部２Ｂには、輸送管（図示略）が接続される。
【００１７】
ピストンポンプは、図５及び図６に示すものと同様な逆流防止装置を備えている。即ち、めがね板８の左右の吸込吐出口１Ｌ、１Ｒの間隔をウェアプレート１２の開口部１３の幅以上とし、ウェアプレート１２の開口部１３の両端にめがね板８の吸込吐出口１Ｌ、１Ｒの幅以上のシール部１４が設けられている。
ホッパー１の下部には、図１及び図２に示すように、ウェアプレート１２案内用のガイド板１７を固定するための固定壁２０が設けられている。この固定壁２０は、側面視Ｌ字状でその水平部分の後端がホッパー１の背壁１Ｂに固設されている。
【００１８】
固定壁２０の垂直部分の背後には調整シム２１を挟んでガイド板１７が配置されており、ホッパー１の外部前方から固定壁２０を貫通するガイド板固定ボルト１９で固定壁２０に固定されている。
ガイド板１７は、ウェアプレート１２の下縁をめがね板８との間で保持して、揺動管２の切換移動時にウェアプレート１２を摺動自在に案内するため、ウェアプレート１２との間には微小な隙間を設ける必要がある。
【００１９】
このガイド板固定機構では、調整シム２１による隙間調整を容易にするため、ホッパー１の側面に、固定壁２０とガイド板１７との間へ側方から調整シム２１を挿入可能とする挿入口２２が設けられている。
上記の構成により、このガイド板固定機構では、ガイド板１７とウェアプレート１２の隙間の調整を行う場合に、ホッパー１の内部を空の状態にして行う必要はなく、ホッパー１の外部からガイド板固定ボルト１９を緩め、適切な厚さを有する調整シム２１を選定して挿入口２２から挿入する（あるいは抜き出す）ことにより、ガイド板１７とウェアプレート１２との間の隙間調整を的確且つ容易に行うことができる。
【００２０】
【発明の効果】
以上説明したように、本発明のピストンポンプの逆流防止装置のガイド板固定機構によれば、ガイド板をホッパーに確実に固定すると共に、ガイド板とウェアプレートとの間の隙間調整を的確且つ容易に行うことができる。
【図面の簡単な説明】
【図１】本発明の実施の一形態を示すピストンポンプの逆流防止装置のガイド板固定機構の構成図である。
【図２】ガイド板固定機構の要部背面図である。
【図３】従来のピストンポンプの構成を示す平面図である。
【図４】従来のピストンポンプの構成を示す要部縦断面図である。
【図５】従来のピストンポンプの逆流防止装置の構成図である。
【図６】従来のピストンポンプの逆流防止装置の作用の説明図である。
【符号の説明】
１      ホッパー
１Ｂ    背壁
１Ｆ    前壁
１Ｌ、１Ｒ    吸込吐出口
２      揺動管
２Ｂ    基端部
２Ｔ    先端部
４Ｌ、４Ｒ    ポンプシリンダ
８      めがね板
１０    揺動管軸
１１    切換レバー
１２    ウェアプレート
１３    開口部
１４    シール部
１７    ガイド板
１９    ガイド板固定ボルト
２０    固定壁
２１    調整シム
２２    挿入口
【図１】
0004127485.tif 000002
【図２】
0004127485.tif 000003
【図３】
0004127485.tif 000004
【図４】
0004127485.tif 000005
【図５】
0004127485.tif 000006
【図６】
0004127485.tif 000007